(57)【要約】      （修正有）【課題】錠開閉機器の消費電力量を低減させる錠制御システム、錠制御方法及び錠制御プログラムを提供する。【解決手段】錠制御システムは、ユーザ端末２が、第１端末通信部と、第２端末通信部と、ユーザ端末２の存在位置が所定のエリアに含まれる場合に、第１端末通信部を介して、ユーザ識別情報を含む待受要求を制御装置４に通知する端末要求通知部とを備え、制御装置４が、装置記憶部と、ユーザ端末２から待受要求を受信した場合に、待受指示を、待受要求に含まれるユーザ識別情報に関連付けて装置記憶部に記憶されている錠識別情報が示す錠開閉機器１に通知する装置通知部と、を備え、錠開閉機器１が、第１錠通信部１１と、第１錠通信部１１より待受時の消費電力が大きい第２錠通信部１２と、第１錠通信部１１を介して制御装置４から待受指示を受信した場合に、第２錠通信部１２を待受モードに切り替えるモード切替部１４２と、を備える。【選択図】図２
2020153120.tif 000002
【特許請求の範囲】
【請求項１】
錠を開閉する錠開閉機器と、前記錠に対応する鍵として機能するユーザ端末と、前記錠開閉機器を制御する制御装置とを備える錠制御システムであって、
前記ユーザ端末は、
前記制御装置と通信する第１端末通信部と、
前記第１端末通信部とは異なる通信回線で前記錠開閉機器と通信する第２端末通信部と、
前記ユーザ端末の存在位置が所定のエリアに含まれる場合に、前記第１端末通信部を介して、前記ユーザ端末を使用するユーザを識別するためのユーザ識別情報を含み、前記錠開閉機器の通信状態を前記第２端末通信部と通信可能な状態にさせる待受要求を前記制御装置に通知する端末要求通知部と、
を備え、
前記制御装置は、
前記ユーザ識別情報と、前記錠開閉機器を識別する錠識別情報とを関連付けて記憶する装置記憶部と、
前記ユーザ端末から前記待受要求を受信した場合に、前記ユーザ端末と通信可能な状態への切り替えを指示する待受指示を、前記待受要求に含まれる前記ユーザ識別情報に関連付けて前記装置記憶部に記憶されている前記錠識別情報が示す前記錠開閉機器に通知する装置通知部と、
を備え、
前記錠開閉機器は、
前記制御装置と通信する第１錠通信部と、
前記第１錠通信部とは異なる通信回線で前記ユーザ端末と通信する通信部であって、前記第１錠通信部より待受時の消費電力が大きい第２錠通信部と、
前記第１錠通信部を介して前記制御装置から前記待受指示を受信した場合に、前記第２錠通信部を、前記ユーザ端末による前記錠の解錠を指示する解錠指示が受信不能な状態である休止モードから前記ユーザ端末による前記解錠指示が受信可能な状態である待受モードに切り替えるモード切替部と、
を備える、
錠制御システム。
【請求項２】
前記ユーザ端末は、前記端末要求通知部が前記待受要求を通知した後において、前記第２端末通信部と前記第２錠通信部とが接続された場合に、前記第２端末通信部を介して、前記解錠指示を前記錠開閉機器に通知する端末指示通知部をさらに備え、
前記錠開閉機器は、前記待受モードに切り替えられた前記第２錠通信部を介して前記ユーザ端末から前記解錠指示を受信した場合に、前記錠を解錠する錠制御部をさらに備える、
請求項１に記載の錠制御システム。
【請求項３】
前記錠開閉機器は、前記ユーザ端末から前記解錠指示を受信した場合に、前記制御装置を介して前記ユーザ端末に解錠の承諾を要求する承諾要求を通知する錠通知部をさらに有し、
前記ユーザ端末は、解錠を承諾するための承諾操作を受け付ける操作受付部をさらに有し、
前記端末指示通知部は、前記操作受付部が前記承諾操作を受け付けた場合に、前記制御装置を介して解錠を承諾する承諾通知を前記錠開閉機器に通知し、
前記錠制御部は、前記ユーザ端末から前記承諾通知を受信した場合に、前記錠を解錠する、
請求項２に記載の錠制御システム。
【請求項４】
前記モード切替部は、前記錠が施錠された場合に、前記第２錠通信部を前記休止モードに切り替える、
請求項１から３のいずれか一項に記載の錠制御システム。
【請求項５】
前記装置通知部は、前記ユーザが宅内にいることを条件として、前記ユーザ端末と通信不能な状態への切り替えを指示する休止指示を前記錠開閉機器に通知し、
前記モード切替部は、前記第１錠通信部を介して前記制御装置から前記休止指示を受信した場合に、前記第２錠通信部を前記休止モードに切り替える、
請求項１から４のいずれか一項に記載の錠制御システム。
【請求項６】
前記制御装置は、前記ユーザ端末の存在位置に基づいて、前記ユーザが宅内にいるか否かを判定する判定部をさらに有し、
前記装置通知部は、前記ユーザが宅内にいると判定された場合に、前記錠開閉機器に休止モードへの切り替えを指示する休止指示を通知する、
請求項５に記載の錠制御システム。
【請求項７】
前記錠制御システムは、前記ユーザの宅内に設置された中継機器をさらに有し、
前記中継機器は、前記ユーザの宅内に設置された通信機器を管理し、
前記判定部は、前記中継機器が管理する前記通信機器の利用有無に基づいて、前記ユーザが宅内にいるか否かを判定する、
請求項６に記載の錠制御システム。
【請求項８】
錠を開閉する錠開閉機器と、前記錠に対応する鍵として機能するユーザ端末と、前記錠開閉機器を制御する制御装置とを備える錠制御システムにおける前記錠開閉機器を制御する錠制御方法であって、
前記ユーザ端末が、前記ユーザ端末の存在位置が所定のエリアに含まれる場合に、前記制御装置と通信する第１端末通信部を介して、前記ユーザ端末を使用するユーザを識別するためのユーザ識別情報を含み、前記錠開閉機器の通信状態を、前記第１端末通信部とは異なる通信回線で前記錠開閉機器と通信する第２端末通信部と通信可能な状態にさせる待受要求を前記制御装置に通知するステップと、
前記制御装置が、前記ユーザ端末から前記待受要求を受信した場合に、前記ユーザ端末と通信可能な状態への切り替えを指示する待受指示を、前記待受要求に含まれる前記ユーザ識別情報に関連付けて装置記憶部に記憶されている前記錠開閉機器を識別する錠識別情報が示す前記錠開閉機器に通知するステップと、
前記錠開閉機器が、前記制御装置と通信する第１錠通信部を介して前記制御装置から前記待受指示を受信した場合に、前記第１錠通信部とは異なる通信回線で前記ユーザ端末と通信する通信部であって、前記第１錠通信部より待受時の消費電力が大きい第２錠通信部を、前記ユーザ端末と通信不能な状態である休止モードから前記ユーザ端末と通信可能な状態である待受モードに切り替えるステップと、
前記ユーザ端末が、前記待受要求を通知した後において、前記第２端末通信部と前記第２錠通信部とが接続された場合に、前記第２端末通信部を介して、前記錠の解錠を指示する解錠指示を前記錠開閉機器に通知するステップと、
前記錠開閉機器が、前記待受モードに切り替えられた前記第２錠通信部を介して前記ユーザ端末から前記解錠指示を受信した場合に、前記錠を解錠するステップと、
を有する錠制御方法。
【請求項９】
コンピュータを、
錠開閉機器が開閉する錠に対応する鍵として機能するユーザ端末の存在位置が所定のエリアに含まれる場合に、前記錠開閉機器を制御する制御装置と通信する第１端末通信部を介して、前記ユーザ端末を使用するユーザを識別するためのユーザ識別情報を含み、前記錠開閉機器の通信状態を、前記第１端末通信部とは異なる通信回線で前記錠開閉機器と通信する第２端末通信部と通信可能な状態にさせる待受要求を前記制御装置に通知する端末要求通知部、及び
前記端末要求通知部が前記待受要求を通知した後において、前記第２端末通信部と前記錠開閉機器とが接続された場合に、前記第２端末通信部を介して、前記錠の解錠を指示する解錠指示を前記錠開閉機器に通知する端末指示通知部、
として機能させる錠制御プログラム。
【発明の詳細な説明】
【技術分野】
【０００１】
本発明は、錠開閉機器を制御する錠制御システム、錠制御方法及び錠制御プログラムに関する。
【背景技術】
【０００２】
近年、ＩｏＴ（Internet of Things）の普及により、ネットワークを介して外部にあるサーバとデータを送受信したり、端末からの指示に応じて物の動作を制御したりするＩｏＴ機器が急速に増加している。特許文献１には、携帯電話（以下、「ユーザ端末」という。）からコマンドを受け取ると、ドアに設置されているドアロックのサムターンを回すドア設置機構（以下、「錠開閉機器」という。）に関する技術が開示されている。
【先行技術文献】
【特許文献】
【０００３】
【特許文献１】特開２０１８−０２８２６１号公報
【発明の概要】
【発明が解決しようとする課題】
【０００４】
ところで、錠開閉機器をはじめとするＩｏＴ機器においては、消費電力の省力化が要求されている。従来の錠開閉機器においては、ユーザ端末からのコマンド等による指示をいつでも受け取れるようにするため、錠開閉機器の通信モジュールが、常時、ユーザ端末と通信可能な状態になっていた。この場合、錠開閉機器の通信モジュールが電力を消費し続けるため、錠開閉機器の消費電力量が増大するという問題があった。
【０００５】
そこで、本発明はこれらの点に鑑みてなされたものであり、錠開閉機器の消費電力量を低減させることができる錠制御システム、錠制御方法及び錠制御プログラムを提供することを目的とする。
【課題を解決するための手段】
【０００６】
本発明の第１の態様に係る錠制御システムは、錠を開閉する錠開閉機器と、前記錠に対応する鍵として機能するユーザ端末と、前記錠開閉機器を制御する制御装置とを備える錠制御システムであって、前記ユーザ端末は、前記制御装置と通信する第１端末通信部と、前記第１端末通信部とは異なる通信回線で前記錠開閉機器と通信する第２端末通信部と、前記ユーザ端末の存在位置が所定のエリアに含まれる場合に、前記第１端末通信部を介して、前記ユーザ端末を使用するユーザを識別するためのユーザ識別情報を含み、前記錠開閉機器の通信状態を前記第２端末通信部と通信可能な状態にさせる待受要求を前記制御装置に通知する端末要求通知部と、を備え、前記制御装置は、前記ユーザ識別情報と、前記錠開閉機器を識別する錠識別情報とを関連付けて記憶する装置記憶部と、前記ユーザ端末から前記待受要求を受信した場合に、前記ユーザ端末と通信可能な状態への切り替えを指示する待受指示を、前記待受要求に含まれる前記ユーザ識別情報に関連付けて前記装置記憶部に記憶されている前記錠識別情報が示す前記錠開閉機器に通知する装置通知部と、を備え、前記錠開閉機器は、前記制御装置と通信する第１錠通信部と、前記第１錠通信部とは異なる通信回線で前記ユーザ端末と通信する通信部であって、前記第１錠通信部より待受時の消費電力が大きい第２錠通信部と、前記第１錠通信部を介して前記制御装置から前記待受指示を受信した場合に、前記第２錠通信部を、前記ユーザ端末による前記錠の解錠を指示する解錠指示が受信不能な状態である休止モードから前記ユーザ端末による前記解錠指示が受信可能な状態である待受モードに切り替えるモード切替部と、を備える。
【０００７】
前記ユーザ端末は、前記端末要求通知部が前記待受要求を通知した後において、前記第２端末通信部と前記第２錠通信部とが接続された場合に、前記第２端末通信部を介して、前記解錠指示を前記錠開閉機器に通知する端末指示通知部をさらに備えてもよいし、前記錠開閉機器は、前記待受モードに切り替えられた前記第２錠通信部を介して前記ユーザ端末から前記解錠指示を受信した場合に、前記錠を解錠する錠制御部をさらに備えてもよい。
【０００８】
前記錠開閉機器は、前記ユーザ端末から前記解錠指示を受信した場合に、前記制御装置を介して前記ユーザ端末に解錠の承諾を要求する承諾要求を通知する錠通知部をさらに有してもよいし、前記ユーザ端末は、解錠を承諾するための承諾操作を受け付ける操作受付部をさらに有してもよいし、前記端末指示通知部は、前記操作受付部が前記承諾操作を受け付けた場合に、前記制御装置を介して解錠を承諾する承諾通知を前記錠開閉機器に通知してもよいし、前記錠制御部は、前記ユーザ端末から前記承諾通知を受信した場合に、前記錠を解錠してもよい。
【０００９】
前記モード切替部は、前記錠が施錠された場合に、前記第２錠通信部を前記休止モードに切り替えてもよい。
前記装置通知部は、前記ユーザが宅内にいることを条件として、前記ユーザ端末と通信不能な状態への切り替えを指示する休止指示を前記錠開閉機器に通知してもよいし、前記モード切替部は、前記第１錠通信部を介して前記制御装置から前記休止指示を受信した場合に、前記第２錠通信部を前記休止モードに切り替えてもよい。
【００１０】
前記制御装置は、前記ユーザ端末の存在位置に基づいて、前記ユーザが宅内にいるか否かを判定する判定部をさらに有してもよいし、前記装置通知部は、前記ユーザが宅内にいると判定された場合に、前記錠開閉機器に休止モードへの切り替えを指示する休止指示を通知してもよい。
【００１１】
前記錠制御システムは、前記ユーザの宅内に設置された中継機器をさらに有してもよいし、前記中継機器は、前記ユーザの宅内に設置された通信機器を管理してもよいし、前記判定部は、前記中継機器が管理する前記通信機器の利用有無に基づいて、前記ユーザが宅内にいるか否かを判定してもよい。
【００１２】
本発明の第２の態様に係る錠制御方法は、錠を開閉する錠開閉機器と、前記錠に対応する鍵として機能するユーザ端末と、前記錠開閉機器を制御する制御装置とを備える錠制御システムにおける前記錠開閉機器を制御する錠制御方法であって、前記ユーザ端末が、前記ユーザ端末の存在位置が所定のエリアに含まれる場合に、前記制御装置と通信する第１端末通信部を介して、前記ユーザ端末を使用するユーザを識別するためのユーザ識別情報を含み、前記錠開閉機器の通信状態を、前記第１端末通信部とは異なる通信回線で前記錠開閉機器と通信する第２端末通信部と通信可能な状態にさせる待受要求を前記制御装置に通知するステップと、前記制御装置が、前記ユーザ端末から前記待受要求を受信した場合に、前記ユーザ端末と通信可能な状態への切り替えを指示する待受指示を、前記待受要求に含まれる前記ユーザ識別情報に関連付けて装置記憶部に記憶されている前記錠開閉機器を識別する錠識別情報が示す前記錠開閉機器に通知するステップと、前記錠開閉機器が、前記制御装置と通信する第１錠通信部を介して前記制御装置から前記待受指示を受信した場合に、前記第１錠通信部とは異なる通信回線で前記ユーザ端末と通信する通信部であって、前記第１錠通信部より待受時の消費電力が大きい第２錠通信部を、前記ユーザ端末と通信不能な状態である休止モードから前記ユーザ端末と通信可能な状態である待受モードに切り替えるステップと、前記ユーザ端末が、前記待受要求を通知した後において、前記第２端末通信部と前記第２錠通信部とが接続された場合に、前記第２端末通信部を介して、前記錠の解錠を指示する解錠指示を前記錠開閉機器に通知するステップと、前記錠開閉機器が、前記待受モードに切り替えられた前記第２錠通信部を介して前記ユーザ端末から前記解錠指示を受信した場合に、前記錠を解錠するステップと、を有する。
【００１３】
本発明の第３の態様に係る錠制御プログラムは、コンピュータを、錠開閉機器が開閉する錠に対応する鍵として機能するユーザ端末の存在位置が所定のエリアに含まれる場合に、前記錠開閉機器を制御する制御装置と通信する第１端末通信部を介して、前記ユーザ端末を使用するユーザを識別するためのユーザ識別情報を含み、前記錠開閉機器の通信状態を、前記第１端末通信部とは異なる通信回線で前記錠開閉機器と通信する第２端末通信部と通信可能な状態にさせる待受要求を前記制御装置に通知する端末要求通知部、及び前記端末要求通知部が前記待受要求を通知した後において、前記第２端末通信部と前記錠開閉機器とが接続された場合に、前記第２端末通信部を介して、前記錠の解錠を指示する解錠指示を前記錠開閉機器に通知する端末指示通知部、として機能させる。
【発明の効果】
【００１４】
本発明によれば、錠開閉機器の消費電力量を低減させることができるという効果を奏する。
【図面の簡単な説明】
【００１５】
【図１】錠制御システムの概要を説明するための図である。
【図２】錠開閉機器の構成を示す図である。
【図３】ユーザ端末の構成を示す図である。
【図４】待受要求及び解錠指示が通知されるタイミングを説明するための図である。
【図５】専用アプリの画面の一例を示す図である。
【図６】制御装置の構成を示す図である。
【図７】設定情報管理データベースの構成を示す図である。
【図８】錠制御システムの処理の流れを示すシーケンス図である。
【発明を実施するための形態】
【００１６】
［錠制御システムＳの概要］
図１は、錠制御システムＳの概要を説明するための図である。錠制御システムＳは、いわゆるスマートロックであり、ネットワークを介して錠を制御するためのシステムである。錠制御システムＳは、錠開閉機器１と、ユーザ端末２と、中継機器３と、制御装置４とを有する。
【００１７】
錠開閉機器１は、錠を開閉するＩｏＴ機器である。錠開閉機器１は、例えば、建具（例えば、ドア、窓、又は門等）に備えられた錠のサムターン部分に被せて取り付ける後付型の機器であり、図示しないアクチュエータ等の動力を用いて建具に備えられた錠の開閉動作を制御する。錠開閉機器１は、例えば、錠を含み、建具に備えられた錠と取り替える交換型の機器であってもよい。本明細書においては、錠開閉機器１が後付型の機器であるとして説明する。
【００１８】
錠開閉機器１には、制御装置４と通信する第１通信モジュールと、第１通信モジュールとは異なる通信モジュールであって、ユーザ端末２と通信する第２通信モジュールとを有する。第１通信モジュールは、主にＩｏＴ機器に用いられる通信モジュールであり、第２通信モジュールより待受時の消費電力が小さい。一方、第２通信モジュールは、スマートフォン及びＰＣ等の様々な端末に用いられる通信モジュールであり、第１通信モジュールより待受時の消費電力が大きい。錠開閉機器１には、錠に対応する鍵として設定されたユーザ端末２に関する情報が記憶されている。
【００１９】
ユーザ端末２は、ユーザが使用する端末であり、例えばスマートフォンである。ユーザは、例えば、ユーザ端末２で用いられる携帯電話回線の契約者である。ユーザ端末２は、錠に対応する鍵として機能する。ユーザ端末２には、錠に対応する鍵として機能させるための専用のアプリケーションソフトウェア（以下、「専用アプリ」という。）がインストールされている。
【００２０】
中継機器３は、ユーザの宅内に設置された機器であり、例えばホームゲートウェイである。中継機器３は、ユーザの宅内の内部ネットワーク（近距離無線通信網）と外部ネットワーク（広域網）との間における通信を中継することにより、錠開閉機器１と制御装置４との間における通信を中継する。中継機器３は、錠開閉機器１と、ユーザの宅内に設置された錠開閉機器１とは異なるＩｏＴ機器である通信機器とを管理する。通信機器は、例えば、ユーザの宅内にある電化製品（例えば、照明、エアコン及びテレビ等）の動作を制御する。
【００２１】
制御装置４は、錠開閉機器１を制御する装置であり、例えばサーバである。制御装置４には、初期設定で登録される設定情報が記憶されている。設定情報は、ユーザ端末２に関する情報と、中継機器３に関する情報と、錠開閉機器１に関する情報とを含む。
【００２２】
図１に示す例において、錠開閉機器１は、ドアＤの錠に取り付けられており、第２通信モジュールがユーザ端末２と通信不能な状態になっている。また、ユーザは、屋外におり、ユーザ宅に向かっているとする。この場合において、ユーザ端末２を所持するユーザが所定のエリアに入ると、ユーザ端末２は、錠開閉機器１の通信状態をユーザ端末２と通信可能な状態にさせる待受要求を制御装置４に通知する（図１の（１））。所定のエリアは、例えば、予め設定された領域であり、錠開閉機器１の存在位置を含む領域である。
【００２３】
制御装置４は、ユーザ端末２から待受要求を受信すると、中継機器３を介して、ユーザ端末２と通信可能な状態への切り替えを指示する待受指示を錠開閉機器１に通知する（図１の（２）、（３））。錠開閉機器１は、第１通信モジュールを介して制御装置４から待受指示を受信すると、第２通信モジュールをユーザ端末２と通信可能な状態に切り替える（図１の（４））。
【００２４】
その後、ユーザがドアＤに接近すると、ユーザ端末２は、ドアＤの錠の解錠を指示する解錠指示を錠開閉機器１に通知する（図１の（５））。そして、錠開閉機器１は、ユーザ端末２と通信可能な状態である第２通信モジュールを介してユーザ端末２から解錠指示を受信すると、ドアＤの錠を解錠する（図１の（６））。
【００２５】
このように、ユーザ端末２を所持するユーザの存在位置に応じて錠開閉機器１の第２通信モジュールの通信状態を制御することにより、錠制御システムＳは、ユーザがドアＤを開けない状況における第２通信モジュールの電力消費を抑えることができる。その結果、錠制御システムＳは、錠開閉機器１の消費電力量を低減させることができる。
【００２６】
また、錠開閉機器１の第２通信モジュールが、ユーザ端末２と通信可能な状態に切り替わった後に、ユーザ端末２を所持するユーザが錠開閉機器１に接近したことを条件としてドアＤの錠を解錠することにより、錠制御システムＳは、ユーザがドアＤの近くにいないにも関わらず、ドアＤの錠が解錠されてしまうことを防ぐことができる。その結果、錠制御システムＳは、錠の動作の自動化に伴うセキュリティ上のリスクを低減することができる。
以下、錠開閉機器１、ユーザ端末２及び制御装置４の構成について説明する。
【００２７】
［錠開閉機器１の構成］
まず、錠開閉機器１の構成について説明する。図２は、錠開閉機器１の構成を示す図である。錠開閉機器１は、第１錠通信部１１と、第２錠通信部１２と、錠記憶部１３と、制御部１４とを有する。
【００２８】
第１錠通信部１１は、第２錠通信部１２とは異なる通信回線で制御装置４と通信する通信部であって、第２錠通信部１２より待受時の消費電力が小さい第１通信モジュールである。具体的には、第１錠通信部１１は、第２錠通信部１２とは異なる通信回線で中継機器３と通信することにより、中継機器３を介して制御装置４と通信する。第１錠通信部１１は、例えば、Ｚ−Ｗａｖｅ（登録商標）用の通信モジュールである。
【００２９】
第２錠通信部１２は、第１錠通信部１１とは異なる通信回線でユーザ端末２と通信する通信部であって、第１錠通信部１１より待受時の消費電力が大きい第２通信モジュールである。第２錠通信部１２は、例えば、Ｂｌｕｅｔｏｏｔｈ（登録商標）用の通信モジュールである。
【００３０】
第２錠通信部１２は、通信モードに応じて動作する。通信モードには、休止モード及び待受モードがある。休止モードは、ユーザ端末２による錠の解錠を指示する解錠指示が受信不能な状態となる通信モードである。待受モードは、ユーザ端末２による解錠指示が受信可能な状態となる通信モードである。通常時においては、第２錠通信部１２の通信モードが休止モードに設定されている。
【００３１】
錠記憶部１３は、ＲＯＭ（Read Only Memory）、ＲＡＭ（Random Access Memory）及びハードディスク等の記憶媒体である。錠記憶部１３は、制御部１４が実行するプログラムを記憶している。錠記憶部１３には、鍵として設定されたユーザ端末２を識別する端末識別情報が記憶されている。端末識別情報は、例えば、ユーザ端末２にインストールされた専用アプリにおいて、当該ユーザ端末２を識別するために割り当てられたＵＵＩＤ（Universally Unique Identifier）である。
【００３２】
制御部１４は、例えばＣＰＵ（Central Processing Unit）である。制御部１４は、錠記憶部１３に記憶されているプログラムを実行することにより、錠開閉機器１に係る機能を制御する。制御部１４は、プログラムを実行することにより、設定部１４１、モード切替部１４２、錠通知部１４３及び錠制御部１４４として機能する。
【００３３】
設定部１４１は、ユーザ端末２を錠に対応する鍵として機能させるための初期設定を行う。例えば、ユーザが、ユーザ端末２にインストールされている専用アプリにおいて錠開閉機器１を登録する操作を行うと、中継機器３がペアリング可能な状態になる。錠開閉機器１には、中継機器３とペアリングするためのペアリングボタンが備えてあり、ユーザがペアリングボタンを押下することにより、錠開閉機器１と中継機器３とがペアリングされる。これにより、設定部１４１は、中継機器３を介して制御装置４から取得したユーザ端末２のＵＵＩＤを錠記憶部１３に記憶させる。また、錠開閉機器１に関する情報（例えば錠開閉機器１を識別する錠識別情報）が中継機器３に記憶され、設定情報が制御装置４に記憶される。
【００３４】
モード切替部１４２は、第２錠通信部１２の通信モードを切り替えることにより、第２錠通信部１２を制御する。モード切替部１４２は、第１錠通信部１１を介して制御装置４から待受指示を受信した場合に、第２錠通信部１２の通信モードを、休止モードから待受モードに切り替える。
【００３５】
モード切替部１４２は、錠開閉機器１が取り付けられた建具の錠が施錠された場合に、第２錠通信部１２の通信モードを待受モードから休止モードに切り替える。具体的には、モード切替部１４２は、建具の錠が解錠された後に建具の錠が施錠された場合に、第２錠通信部１２を休止モードに切り替える。モード切替部１４２は、例えば、錠制御部１４４が建具の錠を施錠した場合、又はユーザが手動で建具の錠を施錠した場合に、第２錠通信部１２を休止モードに切り替える。
【００３６】
モード切替部１４２は、制御装置４からの指示に基づいて、第２錠通信部１２の通信モードを待受モードから休止モードに切り替えてもよい。具体的には、モード切替部１４２は、第１錠通信部１１を介して制御装置４から、ユーザ端末２と通信不能な状態への切り替えを指示する休止指示を受信した場合に、第２錠通信部１２を休止モードに切り替えてもよい。
【００３７】
錠制御部１４４は、錠開閉機器１が取り付けられた建具の錠を制御する。錠制御部１４４は、ユーザ端末２が錠開閉機器１に接近した場合に、建具の錠を解錠する。具体的には、錠制御部１４４は、通信モードが待受モードに切り替えられた第２錠通信部１２を介してユーザ端末２から解錠指示を受信した場合に、建具の錠を解錠する。より具体的には、錠制御部１４４は、ＵＵＩＤを含む解除指示をユーザ端末２から受信すると、当該ＵＵＩＤが錠開閉機器として錠記憶部１３に記憶されている場合に、建具の錠を解錠する。
【００３８】
錠制御部１４４は、ユーザがユーザ端末２において錠の解錠を承諾する操作を行った場合に、建具の錠を解錠してもよい。具体的には、まず、錠通知部１４３は、ユーザ端末２から解錠指示を受信した場合に、制御装置４を介してユーザ端末２に解錠の承諾を要求する承諾要求を通知する。そして、錠制御部は、錠通知部１４３が承諾要求を通知した後にユーザ端末２から錠の解錠を承諾する承諾通知を受信した場合に、建具の錠を解錠する。
【００３９】
錠制御部１４４は、建具の錠を解錠した後に、錠を解錠したことを示す情報を制御装置４に通知することにより、制御装置４に錠開閉機器１の動作の履歴を記憶させてもよい。錠制御部１４４は、開けられた建具が閉じられた場合に、錠を施錠してもよい。
【００４０】
［ユーザ端末２の構成］
続いて、ユーザ端末２の構成について説明する。図３は、ユーザ端末２の構成を示す図である。ユーザ端末２は、表示部２１と、操作部２２と、位置情報取得部２３と、第１端末通信部２４と、第２端末通信部２５と、端末記憶部２６と、制御部２７とを有する。
【００４１】
表示部２１は、専用アプリの画面を表示するディスプレイである。操作部２２は、ユーザの操作を受け付ける入力デバイスである。操作部２２は、例えば、表示部２１に重ねて設けられたタッチパネルである。位置情報取得部２３は、ＧＰＳ（Global Positioning System）受信機である。位置情報取得部２３は、所定の間隔でＧＰＳ衛星からユーザ端末２の存在位置を示す位置情報を受信する。
【００４２】
第１端末通信部２４は、第２端末通信部２５とは異なる通信回線で制御装置４と通信する通信モジュールである。第１端末通信部２４は、例えば、ＬＴＥ（Long Term Evolution）用の通信モジュールである。第２端末通信部２５は、第１端末通信部２４とは異なる通信回線で錠開閉機器１と通信する通信モジュールである。第２端末通信部２５は、例えば、Ｂｌｕｅｔｏｏｔｈ用の通信モジュールである。
【００４３】
端末記憶部２６は、ＲＯＭ、ＲＡＭ及びハードディスク等の記憶媒体である。端末記憶部２６は、制御部２７が実行するＯＳ（Operating System）及び専用アプリ等のプログラムを記憶している。
【００４４】
制御部２７は、例えばＣＰＵである。制御部２７は、端末記憶部２６に記憶されているプログラムを実行することにより、ユーザ端末２に係る機能を制御する。制御部２７は、プログラムを実行することにより、表示制御部２７１、操作受付部２７２、端末要求通知部２７３及び端末指示通知部２７４として機能する。
【００４５】
表示制御部２７１は、専用アプリの画面を表示部２１に表示させる。操作受付部２７２は、操作部２２を介してユーザの操作を受け付ける。
【００４６】
端末要求通知部２７３は、第１端末通信部２４を介して、錠開閉機器１の通信状態を第２端末通信部２５と通信可能な状態にさせる待受要求を制御装置４に通知することにより、錠開閉機器１の第２錠通信部１２の通信モードを待受モードに切り替えさせる。具体的には、端末要求通知部２７３は、位置情報取得部２３によって取得された位置情報が示すユーザ端末２の存在位置が所定のエリアに含まれる場合に、第１端末通信部２４を介して、ユーザ端末２を使用するユーザを識別するためのユーザ識別情報を含む待受要求を制御装置４に通知する。
【００４７】
例えば、ＯＳには、ユーザ端末２が所定のエリアに入ると専用アプリを起動する設定がされており、位置情報取得部２３によって取得された位置情報が示すユーザ端末２の存在位置が所定のエリアに含まれると、ＯＳが専用アプリを起動させる。そして、専用アプリが起動すると、端末要求通知部２７３は、第１端末通信部２４を介して、ユーザ識別情報を含む待受要求を制御装置４に通知する。また、例えば、専用アプリが常時起動しており、端末要求通知部２７３は、位置情報取得部２３によって取得された位置情報が示すユーザ端末２の存在位置が所定のエリアに含まれる場合に、第１端末通信部２４を介して、ユーザ識別情報を含む待受要求を制御装置４に通知してもよい。
【００４８】
端末指示通知部２７４は、端末要求通知部２７３が待受要求を通知した後に、ユーザ端末２を所持するユーザが錠開閉機器１に接近すると、第２端末通信部２５を介して、解錠指示を錠開閉機器１に通知することにより、錠開閉機器１に建具の錠を解錠させる。具体的には、端末指示通知部２７４は、端末要求通知部２７３が待受要求を通知した後において、ユーザ端末２の第２端末通信部２５と錠開閉機器１の第２錠通信部１２とが接続された場合に、第２端末通信部２５を介して、ＵＵＩＤを含む解錠指示を錠開閉機器１に通知する。
【００４９】
なお、端末指示通知部２７４は、制御装置４を介して、解錠指示を錠開閉機器１に通知してもよい。この場合、端末指示通知部２７４は、端末要求通知部２７３が待受要求を通知した後、すなわち、ユーザ端末２を所持するユーザが所定のエリア内にいることを条件として、制御装置４を介して、解錠指示を錠開閉機器１に通知してもよい。端末指示通知部２７４は、例えば、端末要求通知部２７３が待受要求を通知した後において、ユーザ端末２の第２端末通信部２５が錠開閉機器１の第２錠通信部１２の電波を受信した場合に、第１端末通信部２４を介して、ＵＵＩＤを含む解錠指示を制御装置４に通知することにより、解錠指示を錠開閉機器１に通知してもよい。
【００５０】
図４は、待受要求及び解錠指示が通知されるタイミングを説明するための図である。図４に示す位置Ｐ１は、ユーザ端末２を所持するユーザの存在位置であり、ユーザが道路を矢印の方向に移動しているとする。位置Ｐ２は、錠開閉機器１の存在位置である。領域Ｒ１は、予め設定された領域であり、領域Ｒ２より領域が広い。領域Ｒ２は、錠開閉機器１の第２錠通信部１２が発信した電波が届く領域、すなわち錠開閉機器１の第２錠通信部１２と接続可能な領域であり、領域Ｒ１より領域が狭い。
【００５１】
この場合において、位置Ｐ１に存在するユーザ端末２を所持するユーザが、領域Ｒ１外から領域Ｒ１内に移動すると、端末要求通知部２７３は、第１端末通信部２４を介して、ユーザ識別情報を含む待受要求を制御装置４に通知する。これにより、錠開閉機器１の第２錠通信部１２の通信モードが待受モードに切り替わり、ユーザ端末２と通信可能な状態になる。なお、位置Ｐ１に存在するユーザ端末２を所持するユーザが、領域Ｒ１内から領域Ｒ１外に移動した場合に、端末要求通知部２７３は、第１端末通信部２４を介して、ユーザ識別情報を含み、錠開閉機器１の通信状態を第２端末通信部２５と通信不能な状態にさせる休止要求を制御装置４に通知することにより、錠開閉機器１の第２錠通信部１２の通信モードを休止モードに切り替えさせてもよい。
【００５２】
その後、位置Ｐ１に存在するユーザ端末２を所持するユーザが、領域Ｒ２外から領域Ｒ２内に入ると、ユーザ端末２の第２端末通信部２５と錠開閉機器１の第２錠通信部１２とが接続され、端末指示通知部２７４は、第２端末通信部２５を介して、解錠指示を錠開閉機器１に通知する。これにより、錠開閉機器１が錠を解錠し、錠が取り付けられた建具が開閉可能な状態になる。このようにすることで、錠制御システムＳは、ユーザがユーザ端末２を所持して錠開閉機器１に接近すると、自動的に建具の錠を解錠させることができる。
【００５３】
なお、ユーザ端末２は、ユーザが錠を解錠する操作をしたことを条件として、錠開閉機器１に建具の錠を解錠させてもよい。具体的には、まず、操作受付部２７２は、解錠を承諾するための承諾操作を受け付ける。そして、端末指示通知部２７４は、操作受付部２７２が承諾操作を受け付けた場合に、制御装置４を介して解錠を承諾する承諾通知を錠開閉機器１に通知してもよい。
【００５４】
図５は、専用アプリの画面の一例を示す図である。例えば、表示制御部２７１は、制御装置４を介して錠開閉機器１から承諾要求を受信すると、図５に示す画面を表示部２１に表示させる。ユーザが、表示部２１に表示された画面で解錠を承諾することを示す「はい」をタッチすると、操作受付部２７２は、解錠を承諾するための承諾操作を受け付ける。そして、端末指示通知部２７４は、操作受付部２７２が承諾操作を受け付けたことを契機として、制御装置４を介して承諾通知を錠開閉機器１に通知することにより、錠開閉機器１に建具の錠を解錠させる。このようにすることで、ユーザは、任意のタイミングで建具の錠を解錠させることができる。
【００５５】
［制御装置４の構成］
続いて、制御装置４の構成について説明する。図６は、制御装置４の構成を示す図である。制御装置４は、装置通信部４１と、装置記憶部４２と、制御部４３とを有する。
【００５６】
装置通信部４１は、ユーザ端末２と、中継機器３を介して錠開閉機器１と通信する通信モジュールである。装置記憶部４２は、ＲＯＭ、ＲＡＭ及びハードディスク等の記憶媒体である。装置記憶部４２は、制御部４３が実行するプログラムを記憶している。装置記憶部４２には、設定情報を記憶する設定情報管理データベースが記憶されている。
【００５７】
図７は、設定情報管理データベースの構成を示す図である。図７に示すように、設定情報管理データベースは、設定情報として、ユーザ端末２を使用するユーザに対応するユーザ識別情報と、中継機器３を識別する機器識別情報と、錠開閉機器１を識別する錠識別情報とを関連付けて記憶している。
【００５８】
図６に戻り、制御部４３は、例えばＣＰＵである。制御部４３は、装置記憶部４２に記憶されているプログラムを実行することにより、制御装置４に係る機能を制御する。制御部４３は、プログラムを実行することにより、取得部４３１、判定部４３２及び装置通知部４３３として機能する。
【００５９】
装置通知部４３３は、装置通信部４１を介して、ユーザ端末２から待受要求を受信すると、ユーザ端末２を使用するユーザに関連付けられている錠開閉機器１に待受指示を通知することにより、錠開閉機器１の第２錠通信部１２の通信モードを待受モードに切り替えさせる。具体的には、装置通知部４３３は、ユーザ端末２から待受要求を受信した場合に、ユーザ端末２と通信可能な状態への切り替えを指示する待受指示を、受信した待受要求に含まれるユーザ識別情報に関連付けて設定情報管理データベースに記憶されている錠識別情報が示す錠開閉機器１に通知する。
【００６０】
より具体的には、装置通知部４３３は、ユーザ端末２から待受要求を受信した場合に、当該待受要求に含まれるユーザ識別情報に関連付けて設定情報管理データベースに記憶されている錠識別情報を含む待受指示を、当該ユーザ識別情報に関連付けて設定情報管理データベースに記憶されている機器識別情報が示す中継機器３に通知する。
【００６１】
装置通知部４３３は、錠開閉機器１の第２錠通信部１２の通信モードを待受モードに切り替えさせた後に、ユーザが宅内に入った場合に、錠開閉機器１の第２錠通信部１２の通信モードを休止モードに切り替えさせてもよい。具体的には、装置通知部４３３は、ユーザが宅内にいることを条件として、ユーザ端末２と通信不能な状態への切り替えを指示する休止指示を錠開閉機器１に通知してもよい。
【００６２】
より具体的には、まず、取得部４３１は、ユーザ端末２の存在位置を示す位置情報をユーザ端末２から取得する。判定部４３２は、取得部４３１が取得した位置情報が示すユーザ端末２の存在位置に基づいて、ユーザが宅内にいるか否かを判定する。判定部４３２は、例えば、ユーザ端末２の存在位置が錠開閉機器１を含む宅内領域（例えば、錠開閉機器１から半径１０メートル以内等）に含まれているか否かに基づいて、ユーザが宅内にいるか否かを判定する。そして、装置通知部４３３は、判定部４３２によってユーザが宅内にいると判定された場合に、錠開閉機器１に休止モードへの切り替えを指示する休止指示を通知する。このようにすることで、制御装置４は、錠開閉機器１の消費電力量を低減させることができる。
【００６３】
ところで、位置情報では、ユーザが宅内にいるか否かを判断することができない場合がある。例えば、ユーザ宅がマンションをはじめとする集合住宅の住戸である場合において、集合住宅の建物の入り口からユーザ宅までの経路が屋内である場合、ＧＰＳの精度が悪くなり、ユーザが宅内にいるか否かを判断することが難しくなる。そこで、判定部４３２は、ユーザの宅内に設置された通信機器の利用有無に基づいて、ユーザが宅内にいるか否かを判定してもよい。
【００６４】
具体的には、まず、取得部４３１は、錠開閉機器１によって錠が解錠された後に、中継機器３が管理する通信機器の利用有無を示す利用情報を中継機器３から取得する。そして、判定部４３２は、利用情報が示す通信機器の利用有無に基づいて、ユーザが宅内にいるか否かを判定する。判定部４３２は、例えば、中継機器３から取得した利用情報が、通信機器によって制御されているリビング等の照明がついたこと、又は通信機器によって制御されているエアコンがついたことを示す場合に、ユーザが宅内にいると判定する。
【００６５】
利用情報は、内部ネットワークの利用状況を示す情報であってもよい。判定部４３２は、例えば、中継機器３から取得した利用情報が、ユーザ端末２が内部ネットワークに接続していることを示す場合に、ユーザが宅内にいると判定してもよい。また、判定部４３２は、例えば、中継機器３から取得した利用情報が、ユーザ端末２と中継機器３とがペアリングされていることを示す場合に、ユーザが宅内にいると判定してもよい。このようにすることで、制御装置４は、錠開閉機器１の消費電力量を低減させることができる。
【００６６】
また、装置通知部４３３は、ユーザの宅内において所定の機能が利用された場合に、錠開閉機器１に建具の錠を施錠させてもよい。この場合、制御装置４には、建具の錠を施錠させる条件を示す条件情報が設定されている。条件情報は、例えば、ユーザによって予め設定された情報であり、風呂場の照明がつけられた場合、又は寝室の照明が消された場合等である。具体的には、装置通知部４３３は、取得部４３１が取得した利用情報が示す通信機器の利用有無が、条件情報が示す条件を満たす場合に、錠開閉機器１に建具の錠を施錠させてもよい。
【００６７】
［錠制御システムＳの処理］
続いて、錠制御システムＳの処理の流れについて説明する。図８は、錠制御システムＳの処理の流れを示すシーケンス図である。本処理は、ユーザ端末２のＯＳが、所定の間隔で取得された位置情報が示すユーザ端末２の存在位置が所定のエリアに含まれたことによって専用アプリを起動したことを契機として開始する（Ｓ１）。専用アプリが起動すると、ユーザ端末２の端末要求通知部２７３は、第１端末通信部２４を介して、ユーザ識別情報を含む待受要求を制御装置４に通知する（Ｓ２）。
【００６８】
制御装置４の装置通知部４３３は、ユーザ端末２から待受要求を受信すると、待受指示を、受信した待受要求に含まれるユーザ識別情報に関連付けて設定情報管理データベースに記憶されている錠識別情報が示す錠開閉機器１に中継機器３を介して通知する（Ｓ３）。錠開閉機器１のモード切替部１４２は、第１錠通信部１１を介して制御装置４から待受指示を受信すると、第２錠通信部１２の通信モードを、休止モードから待受モードに切り替える（Ｓ４）。
【００６９】
ユーザ端末２の端末要求通知部２７３が待受要求を通知した後、すなわち錠開閉機器１の第２錠通信部１２の通信モードが待受モードに切り替わった後に、ユーザ端末２の端末指示通知部２７４は、ユーザ端末２の第２端末通信部２５と錠開閉機器１の第２錠通信部１２とが接続されたか否かを判定する（Ｓ５）。
【００７０】
端末指示通知部２７４は、ユーザ端末２の第２端末通信部２５と錠開閉機器１の第２錠通信部１２とが接続されていないと判定した場合（Ｓ５においてＮＯの場合）、処理をＳ５に戻す。一方、端末指示通知部２７４は、ユーザ端末２の第２端末通信部２５と錠開閉機器１の第２錠通信部１２とが接続されたと判定した場合（Ｓ５においてＹＥＳの場合）、第２端末通信部２５を介して、ＵＵＩＤを含む解錠指示を錠開閉機器１に通知する（Ｓ６）。
【００７１】
錠開閉機器１の錠制御部１４４は、ＵＵＩＤを含む解除指示をユーザ端末２から受信すると、当該ＵＵＩＤが鍵として錠記憶部１３に記憶されているか否かを判定する（Ｓ７）。錠制御部１４４は、受信した解除指示に含まれるＵＵＩＤが鍵として錠記憶部１３に記憶されていないと判定した場合（Ｓ７においてＮＯの場合）、建具の錠を解錠せずに、処理を終了する。この場合、錠制御部１４４は、ユーザ端末２に鍵として設定されていない旨のメッセージを通知してもよい。
【００７２】
一方、錠制御部１４４は、受信した解除指示に含まれるＵＵＩＤが鍵として錠記憶部１３に記憶されていると判定した場合（Ｓ７においてＹＥＳの場合）、建具の錠を解錠する（Ｓ８）。
【００７３】
［変形例］
上記において、錠制御システムＳが、中継機器３を有し、錠開閉機器１と制御装置４との間における通信を中継する例を説明したが、これに限らない。例えば、錠開閉機器１と制御装置４とが直接通信してもよい。この場合、錠開閉機器１の第１錠通信部１１は、例えば、第５世代移動通信システム（５Ｇ：5th Generation）用の通信モジュールであってもよい。
【００７４】
［本実施の形態における効果］
以上説明したとおり、錠制御システムＳは、ユーザ端末２の存在位置が所定のエリアに含まれる場合に、錠開閉機器１の第２錠通信部１２の通信モードを、休止モードから待受モードに切り替えて、錠開閉機器１とユーザ端末２とが通信可能な状態にする。そして、錠制御システムＳは、錠開閉機器１の第２錠通信部１２とユーザ端末２の第２端末通信部２５とが接続された場合に、錠開閉機器１が取り付けられた建具の錠を解錠する。このように、ユーザ端末２を所持するユーザの存在位置に応じて錠開閉機器１の第２錠通信部１２の通信状態を制御することにより、錠制御システムＳは、ユーザが建具を開けない状況における第２錠通信部１２の電力消費を抑えることができる。その結果、錠制御システムＳは、錠開閉機器１の消費電力量を低減させることができる。
【００７５】
また、錠開閉機器１の第２錠通信部１２が、ユーザ端末２と通信可能な状態に切り替わった後に、ユーザ端末２を所持するユーザが錠開閉機器１に接近したことを条件として、建具の錠を解錠することにより、錠制御システムＳは、ユーザが建具の近くにいないにも関わらず、建具の錠が解錠されてしまうことを防ぐことができる。その結果、錠制御システムＳは、錠の動作の自動化に伴うセキュリティ上のリスクを低減することができる。
【００７６】
以上、本発明を実施の形態を用いて説明したが、本発明の技術的範囲は上記実施の形態に記載の範囲には限定されず、その要旨の範囲内で種々の変形及び変更が可能である。例えば、装置の全部又は一部は、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を併せ持つ。
【符号の説明】
【００７７】
１  錠開閉機器
１１  第１錠通信部
１２  第２錠通信部
１３  錠記憶部
１４  制御部
１４１  設定部
１４２  モード切替部
１４３  錠通知部
１４４  錠制御部
２  ユーザ端末
２１  表示部
２２  操作部
２３  位置情報取得部
２４  第１端末通信部
２５  第２端末通信部
２６  端末記憶部
２７  制御部
２７１  表示制御部
２７２  操作受付部
２７３  端末要求通知部
２７４  端末指示通知部
３  中継機器
４  制御装置
４１  装置通信部
４２  装置記憶部
４３  制御部
４３１  取得部
４３２  判定部
４３３  装置通知部
Ｓ  錠制御システム
【図１】
2020153120.tif 000003
【図２】
2020153120.tif 000004
【図３】
2020153120.tif 000005
【図４】
2020153120.tif 000006
【図５】
2020153120.tif 000007
【図６】
2020153120.tif 000008
【図７】
2020153120.tif 000009
【図８】
2020153120.tif 000010